(57)【要約】【課題】  編目抑止板による指股部の編目のノックオーバーを抑止する作用を停止させる際に、編目抑止板の移動に伴って、ニードルループが受ける抵抗を従来よりも少なくして、ノックオーバーを確実にすることが可能な横編機を提供する。【解決手段】  編目抑止板５の編目抑止溝５ａは、隣接して編成する指袋６，７との間で股重ねを行うために、先に編成した指袋６で次に編成する指袋７側の指股部６ａとなる編目を保持する編針４に作用させる。次の指袋７の編成が終了すると、指股部６ａの編目を保持する編針４をプレッシャーカム１６の戻しカム面１６ｃで解放位置に移動させてから編目抑止板５を移動させる。解放位置は、編目形成時に編針４を針床３側に引込む位置よりも歯口２側となり、指股部６ａの編目のニードルループは、編目抑止溝５ａから歯口２側に戻る際に受ける抵抗の増大が低減され、確実にノックオーバー可能になる。【選択図】図１
2020016008.tif 000002
【特許請求の範囲】
【請求項１】
前後一対の針床の長手方向にそれぞれ並ぶ編針に設けられ、選針結果に応じて出没する駆動バットを、該長手方向に往復移動するキャリッジに搭載される編成カムで、編針が針床間の歯口に進退するように駆動しながら、複数の指袋を有する筒状の編地を編成する際に、長手方向に隣接する指袋間で股重ねを行うための編目抑止板を備え、
編目抑止板に設ける編目抑止溝で先に編成した指袋の指股部の編目を編針の針幹に留めて保持し、次の指袋を指股部が含まれる最終コースまで編成する間に、保持する編目のノックオーバーを抑止する横編機において、
キャリッジに搭載され、編目抑止板によってノックオーバーを抑止する指股部の編目を針幹に保持する編針のバットに作用し、編目抑止板が編目を抑止している状態で、歯口側の解放位置に編針を戻すカム面を有する戻しカムを備える
ことを特徴とする横編機。
【請求項２】
前記バットは、前記駆動バットよりも前記歯口側に設けられ、常に突出する歯口側バットであり、
前記カム面を歯口側バットに作用させるか否かを切替える切替え機構をさらに含む
ことを特徴とする請求項１記載の横編機。
【請求項３】
前記戻しカムは、前記先に編成した指袋の指股部の編目をフックに保持する編針に対し、前記編目抑止板を作用させて編目を編目抑止溝に案内し易くするために、前記針床側に設けられる駆動カム面を前記駆動バットに作用させて、該編針を針床側に引込むように駆動するプレッシャーカムであり、
前記歯口側バットに作用して、前記先に編成した指股部の編目を保持する編針を前記解放位置に戻すカム面は、プレッシャーカムの前記歯口側に設けられる
ことを特徴とする請求項２記載の横編機。
【請求項４】
前記戻しカムは、形成する編目の大きさに応じて編針を針床側に引込むように、駆動カム面で前記駆動バットに作用する度山カムであり、
前記歯口側バットに作用して、前記先に編成した指股部の編目を保持する編針を前記解放位置に戻すカム面は、度山カムの前記歯口側に設けられる
ことを特徴とする請求項２記載の横編機。
【請求項５】
前記戻しカムは、形成する編目の大きさに応じて編針を針床側に引込むように、駆動カム面で前記駆動バットに作用する度山カムであり、
駆動バットに作用して、前記先に編成した指股部の編目を保持する編針を前記解放位置に戻すカム面は、度山カムの駆動カム面よりも前記針床側に設けられる
ことを特徴とする請求項１記載の横編機。
【請求項６】
前記戻しカムは、形成する編目の大きさに応じて編針を針床側に引込むように、駆動カム面で前記駆動バットに作用する度山カムであり、
該度山カムは、前記次の指袋を編成してから、給糸を伴わない空コースの編成動作で、前記先に編成した指股部の編目を保持する編針を前記解放位置に前記歯口から引込んで戻す
ことを特徴とする請求項１記載の横編機。
【請求項７】
前記戻しカムは、形成する編目の大きさに応じて編針を針床側に引込むように、駆動カム面で前記駆動バットに作用する度山カムであり、
該度山カムは、前記次の指袋を編成する前に、前記編目抑止板を作用させてから、給糸を伴わない空コースの編成動作で、前記先に編成した指股部の編目を保持する編針を駆動して、少なくとも前記解放位置までは前記歯口から引込んで戻す
ことを特徴とする請求項１記載の横編機。
【発明の詳細な説明】
【技術分野】
【０００１】
本発明は、指袋付きの手袋や靴下などを筒状の編地として編成し、指袋間に股重ねを行うための編目抑止板を備える横編機に関する。
【背景技術】
【０００２】
従来から、股重ねを行いながら指袋を順次編成する手袋編機などの横編機は、前後一対の針床を有し、針床間の歯口側先端に、帯状の編目抑止板を備えている（たとえば、特許文献１、２参照）。特許文献１では、編口押え板が編目抑止板に相当する。針床は、長手方向に沿って一定のピッチで配設されるニードルプレートを有する。編針は、ニードルプレート間の針溝に収容されて針床の長手方向に並び、先端のフックを歯口に進退させて編地を編成する。編針の進退は、針床の長手方向に沿って往復走行するキャリッジに搭載されるカムによって駆動される。
【０００３】
編目抑止板は、歯口側の先端から針床側に離れた位置に、編目抑止溝を有する。編目係止溝は、長手方向の一方側から股重ねを行う区間の編針に保持される指股部の編目に作用する。編目抑止溝を作用させるために、編目抑止板は長手方向の一方側から他方側に移動させる。指股部の編目は、編目抑止板に対して相対的に移動するように案内されて編目抑止溝に侵入する。先に編成した指袋の指股部の編目を保持する編針は、編目を編目抑止溝の直上の針幹に留めてノックオーバーを抑止する。この編針の編目抑止片よりも歯口側の部分は、次の指袋を指股部まで編成するために使用される。次の指袋の編成が終了すると、編目抑止板を長手方向の一方側に移動させ、編目抑止溝を指股部の編目から一方側に離す。先に編成された指袋の指股部の編目は、編目抑止板の傾斜部を経て歯口側に戻り、歯口側で編成された次の指袋の指股部の編目に重なる。二つの指袋に続く胴部の編地を編成する際に、二つの指股部の編目は、重ね目としてノックオーバーされ、股重ねされた指股部が形成される。
【０００４】
キャリッジには可動カムを含む各種のカムが搭載され、可動カムは針床の長手方向に延びる制御バーを介してキャリッジ外部から作動させられる（たとえば、特許文献３参照）。特許文献３の図１に示される可動カムは、符号１４の度山カムと符号１６のプレッシャーカムとを含む。特許文献３の図３は、符号１０Ｆで示す前針床の先端側で、編針として符号Ｓで示すべら針の下側に、前針床よりも細かい斜線を施して編目抑止板を示している。また図３は、べら針の背後側に、ニードルプレートを示している。
【０００５】
度山カムは、編目形成時に、編目の大きさに対応する度目値に応じて編針を針床側に引下げる程度を変えるように移動可能である。プレッシャーカムは、指股部の編目をフックに保持する編針に作用するように移動し、編針を針床側に引下げて、編目が編目抑止溝に侵入し易くする。編目抑止板が長手方向に移動して編目を編目抑止溝に侵入させる際に、編目抑止板の上面とニードルプレートの底面または編針の底面との間は、摺動する。
【先行技術文献】
【特許文献】
【０００６】
【特許文献１】特許第３０５３３７６号公報
【特許文献２】特開２０１１−２６７４１号公報
【特許文献３】特開２０１３−４４０７７号公報
【発明の概要】
【発明が解決しようとする課題】
【０００７】
近年、編目抑止板を備える横編機は、細い編糸を使用し、コーティング手袋や精密作業用の手袋の編成など、薄手の手袋を編成することが要望されている。しかしながら、編糸が細くなると、編目抑止板を指股部から抜いて、編目抑止溝で留められていた編目を傾斜部に沿って歯口側に戻す際に問題が生じ易くなる。細い編糸は、編目抑止板の上面と、ニードルプレートの底面または編針の底面との間で摺動するための隙間に噛み込まれて挟まり易くなる。編糸が隙間に挟まれると、先に編成された指袋の指股部の編目が解放されない状態は継続する。編目は、胴部の編地の編成の進行で引張られてから解放されてノックオーバーされる。このようなノックオーバー遅れを伴う編地製品は、不良になってしまう。
【０００８】
特許文献１に開示されている構成は、編目抑止溝の傾斜部に相当する部分の端面を傾斜面として、細い編糸でも編目抑止板の上面とニードルプレート等の底面との隙間に噛み込まれ難くしている。特許文献２に開示されている構成は、編目抑止板がニードルプレート等の底面から離間しないように受け部材で規制し、編目抑止板の上面とニードルプレート等の底面との間に隙間が生じ難くしている。
【０００９】
しかしながら、ニードルプレートは、針床の基板に並設して針床を形成する複数の板状部材である。編針は、ニードルプレート間の針溝に収容されて歯口に対する進退する複数の針状部材である。これらの部材は、相互間で摺動する必要があるので、密着させることはできず、細い編糸に対して噛み込まれる隙間が生じてしまう。編目抑止溝で留められていた先に編成した指袋の指股部の編目を傾斜部に沿って歯口側に戻す際に、編目のニードルループは、編針の針幹をフックの先端側に移動する。移動するニードルループは、フックを閉じる状態のべら上を通る。べら上を通る部分の周長は、べらの傾斜に沿って増大する。ニードルループは、移動に対する周長の増大で抵抗を受け、抵抗が大きいと円滑な移動が困難になる。特許文献１のような編目抑止溝の形状についての対策や、特許文献２のような編目抑止板の受け部材での対策は、ニードルループが受ける抵抗を少なくするものではない。したがって、これらの対策だけでは、細い編糸が移動する際に抵抗を受ける場合に、隙間への噛み込みを防ぐことが困難であると考えられる。
【００１０】
本発明の目的は、編目抑止板による指股部の編目のノックオーバーを抑止する作用を停止させる際に、編目抑止板の移動に伴ってニードルループが受ける抵抗を少なくして、ノックオーバーを確実にすることが可能な横編機を提供することである。
【課題を解決するための手段】
【００１１】
本発明は、前後一対の針床の長手方向にそれぞれ並ぶ編針に設けられ、選針結果に応じて出没する駆動バットを、該長手方向に往復移動するキャリッジに搭載される編成カムで、針床間の歯口に進退するように駆動しながら、複数の指袋を有する筒状の編地を編成するために、長手方向の一方側に隣接して編成する指袋との間で股重ねを行うための編目抑止板を備え、
編目抑止板に設ける編目抑止溝で先に編成した指袋の指股部の編目を編針の針幹に留めて保持し、次の指袋を指股部が含まれる最終コースまで編成する間に、保持する編目のノックオーバーを抑止する横編機において、
キャリッジに搭載され、編目抑止板によってノックオーバーを抑止する指股部の編目を針幹に保持する編針のバットに作用し、編目抑止板が編目を抑止している状態で、歯口側の解放位置に編針を戻すカム面を有する戻しカムを備える
ことを特徴とする横編機である。
【００１２】
また本発明で、前記バットは、前記駆動バットよりも前記歯口側に設けられ、常に突出する歯口側バットであり、
前記カム面を歯口側バットに作用させるか否かを切替える切替え機構をさらに含む
ことを特徴とする。
【００１３】
また本発明で、前記戻しカムは、前記先に編成した指袋の指股部の編目をフックに保持する編針に対し、前記編目抑止板を作用させて編目を編目抑止溝に案内し易くするために、前記針床側に設けられる駆動カム面を前記駆動バットに作用させて、該編針を針床側に引込むように駆動するプレッシャーカムであり、
前記歯口側バットに作用して、前記先に編成した指股部の編目を保持する編針を前記解放位置に戻すカム面は、プレッシャーカムの前記歯口側に設けられる
ことを特徴とする。
【００１４】
また本発明で、前記戻しカムは、形成する編目の大きさに応じて編針を針床側に引込むように、駆動カム面で前記駆動バットに作用する度山カムであり、
前記歯口側バットに作用して、前記先に編成した指股部の編目を保持する編針を前記解放位置に戻すカム面は、度山カムの前記歯口側に設けられる
ことを特徴とする。
【００１５】
また本発明で、前記戻しカムは、形成する編目の大きさに応じて編針を針床側に引込むように、駆動カム面で前記駆動バットに作用する度山カムであり、
駆動バットに作用して、前記先に編成した指股部の編目を保持する編針を前記解放位置に戻すカム面は、度山カム（５４）の駆動カム面よりも前記針床側に設けられる
ことを特徴とする。
【００１６】
また本発明で、前記戻しカムは、形成する編目の大きさに応じて編針を針床側に引込むように、駆動カム面で前記駆動バットに作用する度山カムであり、
該度山カムは、前記次の指袋を編成してから、給糸を伴わない空コースの編成動作で、前記先に編成した指股部の編目を保持する編針を前記解放位置に前記歯口から引込んで戻す
ことを特徴とする。
【００１７】
また本発明で、前記戻しカムは、形成する編目の大きさに応じて編針を針床側に引込むように、駆動カム面で前記駆動バットに作用する度山カムであり、
該度山カムは、前記次の指袋を編成する前に、前記編目抑止板を作用させてから、給糸を伴わない空コースの編成動作で、前記先に編成した指股部の編目を保持する編針を駆動して、少なくとも前記解放位置までは前記歯口から引込んで戻す
ことを特徴とする。
【発明の効果】
【００１８】
本発明によれば、編目抑止板による指股部の編目のノックオーバー抑止の停止は、先に編成した指股部の編目を針幹に保持する編針を、歯口側となる解放位置に移動させておいて行う。この移動で、編目は編針に対して緩められる。編目抑止板が指股部から長手方向に離れる移動に伴い、指股部の編目は、編目抑止板の傾斜部に沿って歯口側に移動し、確実にノックオーバーが可能な状態になる。
【００１９】
また本発明によれば、常に突出する歯口側バットに作用するように、戻しカムに設けるカム面は、次の指袋の編成後、指股部を編成した編針を解放位置に戻す。次に編成した指袋の指股部の編目はノックオーバーしないで、先に編成した指股部の編目は編針に対して緩むようにすることができる。戻しカムの作用は、切替え機構で作用と不作用とを切替えることができる。
【００２０】
また本発明によれば、編目抑止板を作用させ易くするために設けるプレッシャーカムは、歯口側に設けるカム面で、編目抑止板の作用を停止する前に指股部の編目を編針に対して緩めるように、編針を戻すことができる。
【００２１】
また本発明によれば、編目形成時に編針を針床側に引込むように駆動する度山カムは、歯口側に設けるカム面で、編目抑止板の作用を停止する前に指股部の編目を編針に対して緩めるように、編針を戻すことができる。
【００２２】
また本発明によれば、編目形成時に編針を針床側に引込むように駆動する度山カムは、駆動カム面の針床側に設けるカム面で、編目抑止板の作用を停止する前に指股部の編目を編針に対して緩めるように、編針を戻すことができる。
【００２３】
また本発明によれば、次の指袋の編成後、編目抑止板を抜く前に、先に編成して、編目抑止板の編目抑止溝で編針の針幹に留めておいた指股部の編目は、空コースの編成で編針に対して緩めることができる。
【００２４】
また本発明によれば、編目抑止板の編目抑止溝を作用させた後に、先に編成した指袋の指股部の編目は、編目抑止板の編目抑止溝で編針の針幹に留めて、空コースの編成で編針に対して緩めておく。次の指袋を編成の編成後でも、編目抑止板を指股部から抜き易くすることができる。
【図面の簡単な説明】
【００２５】
【図１】図１は、本発明の実施例１である横編機１の動作を示す主要なカム配置図である。
【図２】図２は、図１のプレッシャーカム１６の他の動作を示すカム配置図である。
【図３】図３は、図１の横編機１で使用する針床３および編針４の構成を示す側面断面図である。
【図４】図４は、図３に示す編針４のフック４ａ付近の構成を示す簡略化した側面図である。
【図５】図５は、図１の横編機１で使用するキャリッジ１０Ｆ，１０Ｂのカム配置図である。
【図６】図６は、図１の横編機１でプレッシャーカム１６の動作を切替える構成を示す簡略化した側面図である。
【図７】図７は、本発明の実施例２である横編機４１の動作を示す主要なカム配置図である。
【図８】図８は、本発明の実施例３である横編機５１の動作を示す主要なカム配置図である。
【図９】図９は、本発明の実施例４である横編機の動作を示す図である。
【図１０】図１０は、本発明の実施例５である横編機の動作を示す図である。
【発明を実施するための形態】
【００２６】
以下、図１から図６は、本発明の実施例１である横編機１の動作と主要部分の構成とに関する。図７は、本発明の実施例２である横編機４１の動作に関する。図８は、本発明の実施例３である横編機５１の動作に関する。図９および図１０は、本発明の実施例４および実施例５である横編機の動作にそれぞれ関する。各図で対応する部分は，同一の参照符を付して示し、重複する説明を省略する場合がある。また説明の便宜上、説明対象の図には記載されていない部分について、他の図に記載される参照符を付して言及する場合がある。各実施例での切替えなどに必要な制御は、横編機１に備えられる制御器などの制御手段に予め設定されている手順に従って行われる。
【実施例１】
【００２７】
図１は、本発明の実施例１である横編機１の主要部分について概略的な構成と動作とを示す。横編機１は、歯口２を挟んで、前後一対の針床として、後述する前針床３Ｆと、図示を省略している後針床とを有する。以下の説明は、前針床３Ｆに関連する構成には番号にＦを付し、後針床に関連する構成には番号にＢを付し、前後に共通な事項について総称するときは番号のみを付す。針床３は、図では横方向となる長手方向に沿って、複数が一定のピッチで並設されている編針４を有する。編針４は、歯口２側の先端にフック４ａを有し、歯口２から離れて針床３側に駆動バット４ｂ、および駆動バット４ｂよりも歯口２側に歯口側バット４ｃを有する。編目抑止板５は、編針４の先端付近の底面側に配置される。編目抑止板５を左方に移動させる前に編針４を駆動する動作は、編針４のフック４ａ付近の先端部、駆動バット４ｂおよび歯口側バット４ｃの軌跡として示す。
【００２８】
編目抑止板５は、歯口２側の先端から針床３側に離れた位置に、編目抑止溝５ａを有する。編目抑止溝５ａは、針床３の長手方向の一方側である左側で閉じ，他方側である右方向に延びながら歯口２側に向って開口する。開口部よりも左方向で編目抑止溝５ａの歯口２側の上縁は編目係止片５ｂとなり、右方向で編目抑止溝５ａの針床３側の下縁は歯口２側に接近して歯口２側先端に至る傾斜部５ｃとなる。編目抑止板５は、長手方向に移動可能で、隣接して編成する指袋６，７との間で股重ねを行うために使用する。編目抑止溝５ａは、先に編成した指袋６で次に編成する指袋７側の指股部６ａとなる編目を、フック４ａに保持されている状態で侵入させるように使用する。次の指袋７の編成で編針４を歯口２側に駆動すると、指股部６ａの編目は、フック４ａから針幹に移動し、編目抑止溝５ａの直上に位置する範囲に留められて保持される。本実施例１で、４本の編針４は、針幹で指股部６ａの編目を保持しながら、編目抑止片５ｂよりも歯口２側となる部分で、次の指袋７を指股部７ａを含む最終コースまで編成する。編目抑止溝５ａは、次の指袋７の編成中に保持する指股部６ａの編目のノックオーバーを抑止するように作用する。指股部６ａ，７ａの保持と編成に使用する編針４の本数は、編成する編目の密度であるゲージ数や、指袋６，７の編成に使用する編針４の総数などに応じて、適宜変更しうる。
【００２９】
次の指袋７の編成が終了すると、編目抑止片５ｂが指袋７から外れるまで、編目抑止板５は左方向に移動させる。編目抑止板５の移動は、指股部６ａ，７ａの編目を保持する編針４が解放位置に戻されている状態で行う。解放位置は、たとえば編針４のフック４ａの先端位置で示すと、度目基準位置２ａ、またはこれに近い位置にする。度目基準位置２ａは、形成する編目の大きさに対応して度山カム１４に設定される度目値０に対応して引込む編針４の位置となる。指股部６ａの編目をフック４ａに保持する編針４を歯口２に進出させる際に、編目はフック４ａからべらを越えて針幹側にクリアされる。編目抑止板５は、編針４を引込んでも編目がノックオーバーしないように抑止する。編針４を針床３側に引込むと、フック４ａに指股部７aの編目が形成され、針幹に先の指袋６の指股部６ａの編目が保持される。このように指股部６a，７ｂの編目を保持する編針４は、カムで解放位置に戻される。編目抑止板５は、指股部６ａ，７ａの編目を保持する編針４が少なくとも解放位置に戻された後で、指股部６ａ，７ａから左方向に離れる。編目抑止板５が左方に移動することで、編針４の針幹に保持されていた指股部６ａの編目は、抑止が解かれて、傾斜部５ａに沿って歯口２側に移動する。図４で説明するように、先の指袋６の指股部６ａの編目は、編針４の針幹を歯口２側に移動する際に受ける抵抗が減少する。抵抗の減少は、編目抑止板５の傾斜部に沿って編目が移動する際に、噛み込みを生じることなく編目が歯口２側に戻り易くなる。編針４が解放位置に戻されているので、指股部６ａの編目は、ノックオーバーしないで針幹に留まるけれども、次の編成動作で確実にノックオーバー可能になる。解放位置は、編針４を針床３側に引込んでも、編目がべらを越えてノックオーバーしないで針幹に留まる範囲の引込み位置にすればよい。
【００３０】
針床の長手方向に往復移動するキャリッジ１０Ｆは、度山カム１４、プレッシャーカム１６およびニードルガイドカム１７を含むカムを搭載する。度山カム１４は、傾斜した案内溝１４ａに沿って移動し、編針４の駆動バット４ｂを駆動する駆動カム面１４ｂとして傾斜したカム面と、駆動カム面１４ｂの下方に間隔をあけて設けられる補助カム面１４ｃとを有する。度山カム１４は、選針結果に応じて、選針状態とされている駆動バット４ｂを、カム面１４ｂの傾斜に沿って下端まで引下げ、駆動カム面１４ｂの下側と補助カム面１４ｃの上側との間を通るように案内する。プレッシャーカム１６は、上下方向の案内溝１６ａに沿って移動する。本実施例１のプレッシャーカム１６は、案内溝１６ａに沿って上方に移動させると、編針４の歯口側バット４ｃに当接して、フック４ａ先端が度目基準位置２ａに達するまで、編針４を歯口２側に戻すように駆動する戻しカム面１６ｃを上部に有する。この戻しカム面１６ｃは、歯口側バット４ｃを押し下げるニードルガイドカム１７の右方で、当接する歯口側バット４ｃを常に歯口２側に押上げて編針４を戻す。図４で後述するような可動シンカー８を使用する場合、編針４を戻す際に可動シンカー８で編目を歯口２の下方に押込むことが好ましい。
【００３１】
図２は、図１のプレッシャーカム１６の他の動作を編針４に関連する軌跡で示す。プレッシャーカム１６は、案内溝１６ａに沿って下方に移動させ、駆動バット４ｂに当接して、編針４を針床３側に引込むように駆動する駆動カム面１６ｂを下部に有する。なお針床３側に引込まれる編針４の右側に並ぶ編針４の駆動バット４ｂは、指袋６の編成が終了しているので、非選針状態であり、駆動カム面１６ｂに当接しない。この動作の際に、図では二点鎖線で示す編目抑止板５の編目抑止溝５ａは、図の左方向に離れている。プレッシャーカム１６は、先に編成した指袋６の指股部６ａとなる編目に編目抑止溝５ａを作用させる前に、指股部６ａの編目をフック４ａに保持する編針４を針床３側に引込んで、編目が編目抑止溝５ａに侵入し易くするために使用する。
【００３２】
図３は、図１の横編機１で使用する針床３および編針４の構成を示す。針床３は、基板３ａに対して図の紙面に垂直な長手方向に沿って一定のピッチで配設されるニードルプレート３ｂを有する。編針４は、ニードルプレート３ｂ間の針溝に収容されて針床３の長手方向に並び、先端のフック４ａを歯口２に進退させて編地を編成する。編針４の進退は、針床３の長手方向に沿って往復走行するキャリッジ１０に搭載される度山カム１４などのカムによって駆動される。歯口側バット４ｃは、先端にフック４ａを有する針本体４ｄの基端部に設けられ、針床３からキャリッジ１０側に常時突出する。針本体４ｄの基端部には、ジャック４ｅの先端部が係合している。ジャック４ｅは、先端部から基端側に間隔をあけて、駆動バット４ｂを有し、さらに基端側で制御ジャック４ｆの作用を受ける。制御ジャック４ｆは、図示を省略している選針ドラムの外周に当接する選針凸部４ｇを有し、選針ドラムの外周面に形成される選針パターンを駆動バット４ｂの針床３からキャリッジ１０側への出没に反映させる。なお、選針方法は選針ドラムを用いる方法に限らず、たとえばキャリッジ１０の電気的な制御で切替えられる選針機構を搭載するようにしてもよい。駆動バット４ｂは、選針結果に応じて、選針状態でキャリッジ１０側に突出し、非選針状態で突出しない。
【００３３】
図４は、図３に示す編針４のフック４ａ付近の構成を、前針床３Ｆについて簡略化して示す。編針４は、図１の動作で、解放位置まで戻されている。編目形成時に編針４が針床３側に引込まれる位置は、図よりも下方となる。フック４ａを先端に有する編針４の針本体４ｄは、底部が針底線３Ｆｃに沿って歯口２に進退する。後針床３Ｂ側は、針底線３Ｂｃで示す。歯口２の中心を通る鉛直線２ｖは、針底線３Ｆｃ，３Ｂｃの交点を通る。針底線３Ｆｃ，３Ｂｃは、歯口２側が高くなり、針床３Ｆ，３Ｂ側が低くなるように傾斜する。編針４のフック４ａの開口部は、ノックオーバーされる編目が通過する際に、べら４ｈで覆われて閉じている。指股部６ａの編目は、編目抑止板５の編目抑止溝５ａから脱出する際に、図２に示す傾斜部５ｃによる押上げで、実線で示す状態から二点鎖線で示す状態に移行する。指股部６ａの編目のニードルループで針幹に掛る部分６ｂは、フック４ａを閉じるべら４ｈの外縁部分を移動する。ニードルループで編目抑止溝５ａ内を通る部分６ｃは、傾斜部５ｃに沿って編目抑止板５の歯口２側の先端まで戻る。図２に示す戻しカム面１６ｃで戻す前の編針４の位置は図よりも下方となるので、ニードルループはより周長が大きい部分を移動しなければならない。編針４を解放位置まで戻すことによって、ニードルループが移動する際に受ける抵抗が増大する程度を戻す前よりも低減することができる。
【００３４】
針床３の歯口２側には、可動シンカー８を設けることが好ましい。可動シンカー８は、長手方向では編針４間に配置され、フック４ａによる編目形成時にシンカーループを形成するための壁面８ａとともに、編目を歯口２の下方に押込むための押込み部８ｂを有している。このような可動シンカー８は、本図では図示を省略しているけれども、前述の度目基準位置２ａよりもわずかに針床３側となるように配置される。後針床３Ｂ側の針底線３Ｂｃは、度目基準位置２ａよりも歯口２側となる。指袋を順次編成するためには、先に編成した指袋と次に編成する指袋の編出し部分との間に編糸が渡るので、渡り糸の切断や端糸の編込み処理が必要となる。このような処理に必要な装置は、針底線３Ｆｃ，３Ｂｃや度目値０に対応する位置よりも歯口２側を移動する。解放位置をより歯口２に進出した位置にすれば、ニードルループが移動する際に受ける抵抗増大の低減効果は大きくなると期待される。しかしながら、歯口２側を移動する装置との干渉を避けるために、解放位置は、度目値０に対応する位置や針底線３Ｆｃを越えないようにした方がよい。
【００３５】
図５は、図１の横編機１で使用するキャリッジ１０Ｆ，１０Ｂに搭載されるカムの配置を示す。前後のキャリッジ１０Ｆ，１０Ｂは図の横方向に連動して往復する。横編機１で編成する筒状の編地は、図の左方への移動で前のキャリッジ１０Ｆ、右方への移動で後のキャリッジ１０Ｂを使用し、前後の針床３を交互に使用して筒状に編成する。前のキャリッジ１０Ｆには、図の右方への移動でも編目の編成を可能にする編出し用カム１１が搭載される。編出し用カム１１は、出没可能な可動カムであり、前後の針床３の編針４を使用して編出しを行うために使用する。ゴム山カム１２は、針床３からの突出高さが異なる歯口側バット４ｃに作用し、編地に弾性糸を挿入するために使用する。中山カム１３，度山カム１４およびニードルレイジングカム１５は、選針されて針床３から突出する状態の駆動バット４ｂに作用して、編目を形成するように案内する。ニードルガイドカム１７および天山カム１８は、編針４の歯口２側への進出を規制する。図１および図２の動作は、前後のキャリッジ１０Ｆ，１０Ｂを左方向に移動させ、プレッシャーカム１６を同時に作動させて行う。
【００３６】
図６は、図１の横編機１でプレッシャーカム１６の動作を切替える切替え機構の構成を示す。キャリッジ１０は、図の紙面に垂直な方向となる針床３の長手方向に移動する際に、特許文献３と同様に、キャリッジ１０の外部から可動カムに対する制御を受ける。可動カムに対する制御は、制御バーガイド２０に形成される溝に収容される制御バーによって行う。制御バーとして、プレッシャーカム制御バー２１、編出し用カム制御バー２２、ゴム山制御バー２３、度山調整制御バー２４が設けられる。プレッシャーカム制御バー２１は、制御バーガイド２０に設けられる溝からキャリッジ側に出没するように駆動される。
【００３７】
図６は、（ａ）が図１に、（ｂ）が図２にそれぞれ対応するプレッシャーカム１６の切替え状態を示す。キャリッジ１０は、案内軸３０による案内を受けながら移動する。プレッシャーカム１６を含む図５に示すカムは、キャリッジ１０の底面３１に設けられる。底面３１の表面側は、針床３の上面に臨む。底板３１の裏面側には、レバー３２、移動部材３３、支柱３４およびばね３５が設けられる。レバー３２は、中間の支持軸３２ａを支点として揺動可能で、一端がプレッシャーカム制御バー２１に当接し、他端が移動部材３３に係合する。移動部材３３は、案内溝１６ａを介してプレッシャーカム１６に連結されている。移動部材３３と底板３１に立設する支柱３４との間掛けるばね３５は、レバー３２の一端がプレッシャーカム制御バー２１に当接するように付勢する。プレッシャーカム制御バー２１、レバー３２、移動部材３３、支柱３４、およびばね３５は、プレッシャーカム１６の戻しカム面１６ｃを歯口側バット４ｃに作用させるか作用させないかを切替える、切替え機構を形成する。切替え機構は、この駆動方法に限らず、たとえばキャリッジ１０にモーターやソレノイドなどの駆動源を搭載してもよい。
【００３８】
本実施例１では、編目抑止溝５ａを作用させる直前に（ｂ）の状態とし、他は（ａ）の状態とする。このようなプレッシャーカム１６の切替えは、従来と同様である。しかしながら、従来のプレッシャーカムには戻しカム面１６ｃが設けられていない。本実施例１のように戻しカム面１６ｃを有するプレッシャーカム１６を使用すると、図１の動作は、歯口側バット４ｃに作用させて戻すため、選針には関係なく常に行うことができる。したがって、編目抑止溝５ａを作用させて指袋６，７を順次編成する場合だけでなく、手袋の胴部など他の部分を編成する場合も含めて、編針４を戻すようになる。編針４の戻しは、次の指袋７の最終コースの編成後のみ、または最終コースの編成後に、給糸しないで編針をニットルートで駆動する専用の空コースを設けて行うようにしてもよい。タックルートを選択可能なカム配置であれば、空コースをタックルートで行ってもよい。プレッシャーカム１６の移動に、（ａ）と（ｂ）との中間段階を設けて、中間段階では駆動カム面１６ｂおよび戻しカム面１６ｃが駆動バット４ｂおよび歯口側バット４ｃに作用しないようにしておけば、従来と同様な動作を行わせることもできる。
【００３９】
本実施例１によれば、編目抑止溝５ａを作用させ易くするために設けるプレッシャーカム１６は、編目抑止溝５ａの作用を停止する前に編針４を歯口２側に戻すように駆動することにも利用可能である。なお、戻しカム面１６ｃによる戻し量を調整可能にすることも、ニードルガイドカム１７をプレッシャーカム１６と一体化して上下可動にすることも、可能である。
【実施例２】
【００４０】
図７は、本発明の実施例２である横編機４１の主要部分について概略的な構成と動作とを、前針床３Ｆ側のキャリッジ４０Ｆについて示す。本実施例２は、度山カム４４の歯口２側に戻しカム面４４ｃを設けて、歯口側バット４ｃへの作用で、指股部６ａの編目を保持する編針４を度目基準位置２ａなどの解放位置に戻すようにしている。歯口２側への戻しは、歯口側バット４ｃを使用して行うので、選針結果には関係無く行うことができ、実施例１と同様に、次の指袋７の最終コースの編成後、または専用の空コースを設けて行うことができる。なお、後針床側のキャリッジでも、度山カムによる戻しを行わせることができる。編目抑止板５を指股部６ａに作用させる前の編目の引下げは、プレッシャーカム４６で行う。
【００４１】
本実施例２によれば、戻しカム面４４ｃは、駆動バット４ｂに作用する駆動カム面４４ｂで度目値に応じた大きさの編目が形成されるように編針４を針床３側に引込む度山カム４４に設ける。この度山カム４４は、次の指袋７の編成後、先に編成した指袋６の指股部６ａの編目を保持する編針４を歯口２側に戻すように駆動することができる。
【実施例３】
【００４２】
図８は、本発明の実施例３である横編機５１の主要部分について概略的な構成と動作とを、前針床３Ｆ側のキャリッジ５０Ｆについて示す。後針床側では、図５での度山カム１４と同様に、度山カム５４の配置が対角位置にずれているので、後のキャリッジ側の度山カム５４の動作は、先行して行わせる必要がある。本実施例３では、度山カム５４の傾斜した駆動カム面５４ｂの下端と対向する戻しカム面５４ｃを駆動バット４ｂが通過する際に、指股部６ａ，７ａの編針４を解放位置まで戻す。次の指袋７の編目を最終コースまで編成してから、指股部６ａの編目を保持する編針４の駆動バット４ｂのみを実線で示すように選針状態とし、他の編針４の駆動バット４ｂは破線で示すように非選針状態にする。選針状態の駆動バット４ｂは、ニードルレイジングカム１５で中山カム１３を経て、編針４を歯口２側に進出させるニットルートに案内してしまうので、ニードルレイジングカム１５を出没可能にして、戻しの際には没状態にしておけばよい。
【００４３】
実施例２および実施例３で、度山カム４４，５４の切替えのための駆動は、図６の度山調整制御バー２４を含む切替え機構を介して行う。なお、実施例２および実施例３で編目抑止板５を抜くなら、指股部６ａの編針４が解放位置に戻っている状態で、キャリッジ１０を停止させておくことが好ましい。実施例１、実施例２および実施例３では、編針４を解放位置に戻すことで、針幹に保持する編目を緩め、ノックオーバーの際に受ける抵抗を減少させる効果もある。
【実施例４】
【００４４】
図９は、本発明の実施例４である横編機の動作を示す。（ａ）は、本実施例４で編成する指袋６，７および胴部９を模式的に示す。（ｂ）は、指袋７の編成手順を示す。本実施例４では、指袋６に続いて指袋７を最終コース７ｙまで編成してから、給糸しないで編針４をニットルートに移動させる１回または複数回の空コースを、空コース７ｚとしてを挿入する。タックルートを選択可能なカム配置であれば、タックルートを空コースとしてもよい。指袋７は、指股部７ａを含む全体について、順次最後の前のコース７ｘから最終コース７ｙまで編成し、空コースの７ｚの挿入で編針４を歯口側に引込む位置を最終コース７ｙで引込む位置よりも歯口２側の解放位置に戻す。このような空コース７ｚによる編針４の進退は、編針４の針幹に留められている指股部６ａの編目の移動を伴い、編針４に対して編目を緩めることができる。次に編目抑止板５を左方に抜いてから、胴部９の最初のコース９ｃや他の指袋を編成する。
【００４５】
本実施例４は、実施例３の横編機５１で実現することができる。ただし、度山カム５４は、編針４に対する戻しカム面５４ｃを設ける必要はなく、図１に示す度山カム１４を使用する場合、駆動カム面１４ｂは、編針４を解放位置まで引込むように使用することができる。プレッシャーカム１６には戻しカム１６ｃを設けなくてもよい。最終コース７ｙに続く最初の空コース７ｚは、指袋７の最終コース７ｙで形成した編目を保持する編針４のフック４ａを歯口２に進出させ、指袋７の編目をクリアしてフック４ａから針幹に移動させる。編針４は、度山カム１４で解放位置に引込まれる。解放位置までの引込みなので、指股部７ａの編目はノックオーバーしない。指股部７ａの編目は、編目抑止板５を左方に抜いた後に移動する指股部６ａの編目とともに、胴部９の最初のコース９ｃの編成動作でノックオーバーされる。（ｂ）に示すような編成手順は、制御データを変更することで実現可能である。なお、空コース７ｚの幅は、指股部６ａ，７ａを含んでいればよい。
【実施例５】
【００４６】
図１０は、本発明の実施例５である横編機の動作を示す。（ａ）は、本実施例５で編成する指袋６，７を模式的に示す。（ｂ）は、指袋６，７の編成手順を示す。本実施例５では、指袋６を、指股部６ａを含む指袋６の全体について順次コース６ｘから最終コース６ｙまで編成してから、編目抑止板５を右方に進出させる。指袋７は、最初のコース７ｆの編成を開始する前に、１回または複数回の空コースの７ｚを挿入する。
【００４７】
本実施例５で、指股部６ａの編目は編目抑止板５による抑止でノックオーバーしないで編針４の針幹に留まるので、編針４は度目値０に対応するよりも針床側に引込むことができる。したがって、本実施例５の空コース７ｚは、少なくとも実施例１〜４のような解放位置まで引込んで、歯口２に進出させた編針４を戻すことができる。本実施例５も、実施例４と同様に、横編機５１で、また図１の度山カム１４を使用しても、制御データを変更することで実現可能である。空コース７ｅ，７ｚの効果や幅は、実施例４と同様である。
【００４８】
なお、実施例２、３では、編目抑止板５を抜く前に、指股部６ａの編目を保持する編針４が解放位置に戻っている状態で、キャリッジ１０が停止していることが好ましい。また、実施例１〜５では、従来からキャリッジ１０に搭載している度山カム１４，４４，５４やプレッシャーカム１６を兼用して編針４を戻すようにしているけれども、専用のカムを設けてもよい。
【符号の説明】
【００４９】
１，４１，５１  横編機
２  歯口
３  針床
３ａ  基板
３ｂ  ニードルプレート
３Ｆ  前針床
４  編針
４ａ  フック
４ｂ  駆動バット
４ｃ  歯口側バット
５  編目抑止板
５ａ  編目抑止溝
５ｂ  編目係止片
５ｃ  傾斜部
６，７  指袋
６ａ，７ａ  指股部
１０，１０Ｆ，１０Ｂ，４０Ｆ，５０Ｆ  キャリッジ
１４，４４，５４  度山カム
１４ｂ，１６ｂ，４４ｂ，５４ｂ  駆動カム面
１６  プレッシャーカム
１６ｃ，４４ｃ，５４ｃ  戻しカム面
２１  プレッシャーカム制御バー
３１  底板
３２  レバー
３３  移動部材
３４  支柱
３５  ばね
【図１】
2020016008.tif 000003
【図２】
2020016008.tif 000004
【図３】
2020016008.tif 000005
【図４】
2020016008.tif 000006
【図５】
2020016008.tif 000007
【図６】
2020016008.tif 000008
【図７】
2020016008.tif 000009
【図８】
2020016008.tif 000010
【図９】
2020016008.tif 000011
【図１０】
2020016008.tif 000012